(57)【要約】【課題】使用開始後に噴射器から外れたエアゾール容器本体を再装着させても、カウント数がリセットされないエアゾール容器の実現を目的とする。【解決手段】エアゾール容器本体２の容器２０を押圧して押し込むことで、エアゾール容器本体２のステム２１が容器２０内に押し込まれ、容器２０内の内容物がステム２１を通って噴射器３のノズル３３から外部に噴射されるエアゾール容器１であって、噴射器３に、カウント部５１が押される度にその回数をカウントして回数を表示部に表示し、リセット部５２が押されると回数をリセットするカウンター５が内蔵され、容器２０に装着されて容器２０の押し込み動作の度にカウント部５１を押す内リング４１と、内リング４１に弱化部４０を介して連結された外リング４２と、を有するリング部材４が備えられ、容器２０の最初の押し込み動作に伴い外リング４２によってリセット部５２が押されるとともに弱化部４０が破断される。【選択図】図１
2010011884.tif 000002
【特許請求の範囲】
【請求項１】
内容物が収容された容器、及び、該容器の一端から一方側へ向けて付勢した状態で突出したステム、が備えられたエアゾール容器本体と、
前記容器が収容される容器収容部、前記ステムが挿入される挿入孔、及び、該挿入孔に連通されたノズル、が備えられた噴射器と、
を備えており、
前記容器の他端を押圧して該容器を前記噴射器に対して相対的に一方側へ押し込むことで、前記ステムが前記容器内に押し込まれ、該容器内の内容物が前記ステムを通って前記ノズルから外部に噴射されるエアゾール容器であって、
前記噴射器には、カウント部が押される度にその回数をカウントして該回数を表示部に表示し、リセット部が押されると前記回数をリセットするカウンターが内蔵されており、
該カウンターの他方側には、前記ステムと同軸上に配設されたリング部材が配設されており、
該リング部材は、前記容器に装着され、該容器の押し込み動作の度に前記カウント部を押す内リングと、前記内リングに弱化部を介して連結された外リングと、を備えており、
前記容器の最初の押し込み動作に伴い前記外リングによって前記リセット部が押されるとともに前記弱化部が破断されることを特徴とするエアゾール容器。
【請求項２】
請求項１に記載のエアゾール容器において、
前記内リングの外周面及び前記外リングの内周面には、互いに係合可能な係合部がそれぞれ形成されており、
前記容器の最初の押し込み動作に伴い前記内リングの前記係合部と前記外リングの前記係合部とが係合されることを特徴とするエアゾール容器。
【発明の詳細な説明】
【技術分野】
【０００１】
本発明は、内容物を噴射させる噴射器を備えたエアゾール容器に関する。
【背景技術】
【０００２】
この種のエアゾール容器として、従来から、例えば喘息薬などの薬剤を収容したエアゾール容器本体と、そのエアゾール容器本体に装着された噴射器と、を備えた構成が知られている。上記したエアゾール容器本体は、液状の薬剤を収容した容器と、容器から当該容器の外方へ付勢状態で突出されたステムと、を備えており、ステムが容器内に押し込まれることで容器内の内容物がステムを通って噴射される。一方、上記した噴射器は、容器を収容する有底筒状の容器収容部と、容器収容部の下端部の側面に突設された筒状の噴射口部と、容器収容部の下端部の内側に形成されて前記ステムが挿入された挿入孔と、この挿入孔に連通されて前記噴射口部に向けて開口されたノズルと、を備えている。このような構成からなるエアゾール容器では、噴射口部を患部に向けた状態で、容器の上端を指等で押圧して容器を押し下げることで、ステムが容器内に押し込まれ、容器内の薬剤がステムを通ってノズルから噴射口部内に向けて霧状に噴射され、患部に内容物が投与される。
【０００３】
また、近年、需要者にエアゾール容器本体内の薬剤の残量を任意のときに把握させたり、薬剤の正確な使用量をその使用のたびに把握させたりする等のために、この薬剤の回数が確認可能なエアゾール容器が要求されている。このような要求に応えるために、従来、例えば下記特許文献１に示されるように、噴射回数をカウントするカウンターを噴射器に内蔵した構成が提案されている。このカウンターを備えるエアゾール容器によれば、薬剤を噴射する度にその回数がカウントされ、噴射器に設けられた表示部にカウント数が表示される。
【特許文献１】特許第３４８７８６６号公報
【発明の開示】
【発明が解決しようとする課題】
【０００４】
ところで、上記したカウンターを備えるエアゾール容器では、エアゾール容器本体を付け替えて噴射器を再利用するものがあり、正確なカウント数を確認するために、カウンターにリセット機能が備えられていることが好ましい。これにより、使用開始する前に、カウンターをリセットして表示部のカウント数を初期数値にすることで、正確な使用回数を表示部に表示させることができる。
【０００５】
また、エアゾール容器の使用を開始した後にエアゾール容器を落としたり、内容物が残存したままエアゾール容器本体を外したりして、内容物を使い切る前に噴射器からエアゾール容器本体を取り外してしまう場合がある。この場合、外されたエアゾール容器本体を噴射器に再装着させたり、新たなエアゾール容器本体を噴射器に装着させたりすることで使用可能となる。
【０００６】
しかしながら、一度外されたエアゾール容器本体を噴射器に再装着させる場合に、カウント数がリセットされずにそれまでカウントした回数が継続されるような構成にすると、新たなエアゾール容器本体を噴射器に装着させる場合に、カウント数がリセットされずに正確なカウントができなくおそれがある。
【０００７】
本発明は、上記した従来の問題点を解決するものであり、使用を開始した後に噴射器から外れたエアゾール容器本体を再装着させても、それまでカウントした回数がリセットされず、新しいエアゾール容器本体を装着させた際にのみカウント回数がリセットされるエアゾール容器を提供することを目的としている。
【課題を解決するための手段】
【０００８】
本発明に係るエアゾール容器は、内容物が収容された容器、及び、該容器の一端から一方側へ向けて付勢した状態で突出したステム、が備えられたエアゾール容器本体と、
前記容器が収容される容器収容部、前記ステムが挿入される挿入孔、及び、該挿入孔に連通されたノズル、が備えられた噴射器と、を備えており、前記容器の他端を押圧して該容器を前記噴射器に対して相対的に一方側へ押し込むことで、前記ステムが前記容器内に押し込まれ、該容器内の内容物が前記ステムを通って前記ノズルから外部に噴射されるエアゾール容器であって、前記噴射器には、カウント部が押される度にその回数をカウントして該回数を表示部に表示し、リセット部が押されると前記回数をリセットするカウンターが内蔵されており、該カウンターの他方側には、前記ステムと同軸上に配設されたリング部材が配設されており、該リング部材は、前記容器に装着され、該容器の押し込み動作の度に前記カウント部を押す内リングと、前記内リングに弱化部を介して連結された外リングと、を備えており、前記容器の最初の押し込み動作に伴い前記外リングによって前記リセット部が押されるとともに前記弱化部が破断されることを特徴としている。
【０００９】
このような特徴により、本発明に係るエアゾール容器を使用する際には、まず、容器の他端を押圧して容器を噴射器に対して相対的に一方側へ押し込む。これにより、容器とともにリング部材が押し込まれ、外リングがリセット部に当接してリセット部が押される。その結果、カウンターがリセットされ、表示部に初期数値が表示される。このとき、弱化部に応力が作用するため、外リングがリセット部を押した後、弱化部が破断し、外リングが内リングから分離される。
その後、容器の他端への押圧を一旦解除した後、容器の他端を再び押圧して容器を一方側へ再度押し込む。これにより、ステムが容器内に押し込まれ、容器内の内容物がステムを通ってノズルから噴射される。このとき、容器とともに内リングが押し込まれ、内リングがカウント部に当接してカウント部が押される。その結果、上記した噴射がカウントされ、表示部にカウント後の数値が表示される。また、このとき、外リングは内リングから分離されているため、外リングによってリセット部が押されてカウント数がリセットされることがない。その後、容器の他端への押圧を解除すると、ステムの付勢力によって容器が他方側に押し出され、容器は元の位置に戻る。このとき、容器とともに内リングは移動するため、内リングによるカウント部の押し込みが解除される。このように容器を押し込む度に、ノズルから内容物が噴射されるとともに、内リングによってカウント部が押されて噴射回数がカウントされ、表示部にカウント数が表示される。
また、上記したように一旦使用したエアゾール容器の噴射器がエアゾール容器本体から外れた場合、エアゾール容器本体を噴射器の容器収容部に入れるとともに容器を一方側に押し込んでステムを挿入孔に挿入させ、噴射器をエアゾール容器本体に再び装着させる。このとき、外リングが内リングから分離されているため、外リングによってリセット部が押されてカウント数がリセットされることがない。
【００１０】
また、本発明に係るエアゾール容器は、前記内リングの外周面及び前記外リングの内周面には、互いに係合可能な係合部がそれぞれ形成されており、前記容器の最初の押し込み動作に伴い前記内リングの前記係合部と前記外リングの前記係合部とが係合されることが好ましい。
【００１１】
これにより、弱化部を破断させて内リングと外リングとを分離させた後、外リングの係合部と内リングの係合部とが係合された状態になるので、外リングのガタツキが抑えられるとともに、外リングの一方側への移動が規制され、外リングによってリセット部が押し込まれることが確実に防止される。
【発明の効果】
【００１２】
本発明に係るエアゾール容器によれば、使用を開始した後に、噴射器から外れたエアゾール容器本体を再装着させても、外リングによってリセット部が押されてカウント数がリセットされることがないため、それまでカウントした回数を継続させることができる。これにより、噴射器を再装着した場合であっても、正確な噴射回数を確認することができる。また、新たなエアゾール容器本体を噴射器に装着した場合には、確実にカウント数がリセットされるため、正確なカウントが可能となる。
【発明を実施するための最良の形態】
【００１３】
以下、本発明に係るエアゾール容器の実施の形態について、図面に基いて説明する。
図１は本実施の形態におけるエアゾール容器１の使用開始前の状態を表した断面図であり、図２は本実施の形態におけるエアゾール容器１のリセット中の状態を表した断面図であり、図３は本実施の形態におけるエアゾール容器１のリセット後の状態を表した断面図である。
なお、本実施の形態におけるエアゾール容器１は、後述するエアゾール容器本体２のステム２１を下向きにした状態で使用されるエアゾール容器であり、後述する容器２０からみてステム２１が突出した方向（図１における下側）を「下側」とし、その反対側（図１における上側）を「上側」とする。上記した「下側」が本発明における「一方側」に相当し、上記した「上側」が本発明における「他方側」に相当する。また、図１に示す鎖線Ｏはエアゾール容器本体２の中心軸線を示しており、以下、単に「軸線Ｏ」と記す。また、本実施の形態では、軸線Ｏに沿った方向を「軸方向」とし、軸線Ｏに直交する方向を「径方向」とし、軸線Ｏ回りの方向を「周方向」とする。
【００１４】
図１に示すように、エアゾール容器１は、例えば喘息薬等の薬剤を霧状にして口から吸引させるための器具であり、その概略構成としては、エアゾール容器本体２と、エアゾール容器本体２が装着される噴射器３と、噴射器３の内側に配設されたリング部材４と、を備えている。
【００１５】
エアゾール容器本体２は、液状などの薬剤が収容された容器２０と、その容器２０の下端から下方付勢状態で突出したステム２１と、が備えられている。容器２０は有頂筒状の容器であり、その下端に設けられた口部２２にはマウンティングカップ２３が巻き締められている。ステム２１は、軸方向に延在する筒部であり、軸線Ｏを共通軸にして容器２０と同軸上に配設されている。また、ステム２１は容器２０に対して相対的に押し上げ可能に配設されており、エアゾール容器本体２は、ステム２１が容器２０に対して相対的に上方に移動して容器２０内に押し込まれることで、容器２０内の薬剤がステム２１内に流入する構成となっている。
【００１６】
噴射器３は、上記した容器２０が収容される有底筒状の容器収容部３０と、容器収容部３０の下端部の側面に突設された筒状の噴射口部３１と、上記したステム２１が挿入される挿入孔３２と、その挿入孔３２に連通されたノズル３３と、が備えられている。
【００１７】
容器収容部３０の上端は開口されており、この上端開口部から容器収容部３０内にエアゾール容器本体２が挿入される。
噴射口部３１は、容器収容部３０の下端部の側面に形成された開口３０ａの縁部から径方向外側に向けて突出されており、軸線Ｏに直交する方向に延設されている。この噴射口部３１の先端は、外部に向けて開放されており、また、噴射口部３１の基端は、上記した開口３０ａを介して容器収容部３０の内側に開放されており、噴射口部３１の内側と容器収容部３０の内側とは連通されている。また、噴射口部３１には、その外径が縮径された縮径部３１ａが形成されており、この縮径部３１ａに図示せぬキャップが嵌合される。なお、本実施の形態において、容器収容部３０からみて噴射口部３１側（図１における左側）を正面側とし、その反対側（図１における右側）を背面側とする。
【００１８】
容器収容部３０の内側の底面には、軸方向に延在する突出部３４が立設されており、この突出部３４の上端部に、上記した挿入孔３２が形成されており、また、突出部３４の正面側の側部に上記したノズル３３が形成されており、さらに、その内部に、ノズル３３と挿入孔３２とを連通する連通孔３５が形成されている。
また、容器収容部３０の底部には、後述するカウンター５を挿入するための開口３０ｃが形成されている。この開口３０ｃは、上記した突出部３４の背面側に形成されており、蓋体３６で閉塞されている。蓋体３６は、開口３０ｃに対してアンダーカット嵌合されており、蓋体３６の下面は、容器収容部３０の下面に連続するように略面一に形成されている。また、蓋体３６の上面には、カウンター５が嵌合される凹部３６ａが形成されている。
【００１９】
挿入孔３２は、軸方向に延在する有底孔であり、軸線Ｏを共通軸にしてステム２１と同軸上に配設されている。この挿入孔３２の上端部は上方に向かうに従いテーパー状に漸次拡径されており、挿入孔３２の上端は突出部３４の上端面で開口されている。なお、ステム２１の先端（下端）は、テーパー状の挿入孔３２の上端部に挿入されている。
ノズル３３は、噴射口部３１の内側に向けて噴射するためのノズルであり、噴射口部３１の基端開口面（開口３０ａ）に対向する位置に配設されている。また、ノズル３３は、薬剤を霧状にして噴射するためのノズルであり、背面側から正面側に向かうに従いテーパー状に漸次拡径されている。
連通孔３５は、ステム２１の先端から流出した薬剤をノズル３３に送るための流通孔であり、挿入孔３２の底面から軸方向に沿って下方に向かって延びた有底孔である。この連通孔３５の上端は、挿入孔３２の内側に向けて開放されており、また、連通孔３５の下端部の側面には、ノズル３３の背面側の端部が開放されている。
【００２０】
また、噴射器３には、カウント部５１が押される度にその回数をカウントしてその回数を表示部５３に表示し、リセット部５２が押されると前記回数をリセットするカウンター５が内蔵されている。このカウンター５は、デジタル式のカウンターであり、容器収容部３０の下端部の内側のうちの突出部３４の背面側に収容されている。カウント部５１およびリセット部５２は、カウンター本体５０の上面に上方付勢状態でそれぞれ立設されている。カウント部５１は、後述する内リング４１の下端面に上下に対向する位置に配設され、リセット部５２は、後述する外リング４２の下端面に上下に対向する位置に配設されている。表示部５３は、カウンター本体５０の背面側の側面に設けられており、容器収容部３０の下端部の背面側の側面に形成された窓部３０ｂに対向する位置に配設されている。また、カウンター本体５０の下端には、上記した蓋体３６の凹部３６ａに嵌合される凸部５０ａが形成されており、カウンター５は、カウンター本体５０の下端に蓋体３６を装着させた状態で、容器収容部３０の下端の開口３０ｃから容器収容部３０内に挿入して蓋体３６を開口３０ｃに嵌合させることで容器収容部３０内に取り付けられる。
【００２１】
リング部材４は、周方向に方向性が無い平面視真円形状の部材であり、軸線Ｏを共通軸にして、上記したステム２１と同軸上に配設された筒状部材である。このリング部材４は、カウンター５の上方に配設されている。このリング部材４は、円筒形状の内リング４１と、内リング４１の外径以上の内径を有する円筒形状の外リング４２と、を備えている。
【００２２】
内リング４１は、容器２０の押下動作（押し込み動作）の度にカウント部５１を押す押下部材であり、その上端部が容器２０の口部２２に装着されている。詳しく説明すると、内リング４１の上端部の内周面には、径方向内側に突出した嵌合凸部４４が全周に亘って形成されており、この嵌合凸部４４がマウンティングカップ２３にアンダーカット嵌合されることで、内リング４１は容器２０の口部２２に装着されている。また、内リング４１の下端部の外周面には、径方向外側に突出した係合凸部４５（本発明における係合部に相当する。）が全周に亘って形成されている。
【００２３】
外リング４２は、容器２０の押下動作（押し込み動作）の際にリセット部５２を押す押下部材である。この外リング４２の上端部外周面には、径方向外側に突出したフランジ部４７が全周に亘って形成されており、また、外リング４２の内周面には、内リング４１の係合凸部４５に係合可能な係合凸部４６が形成されている。この係合凸部４６は、外リング４２の内周面から径方向内側に向けて突出された凸部であり、外リング４２の内周面の全周に亘って形成されている。
【００２４】
また、上記した内リング４１と外リング４２とは、内リング４１の下端外周面と外リング４２の上端内周面との間に介在された弱化部４０を介して連結されており、外リング４２は内リング４１の下方に配設され、外リング４２の下端面は内リング４１の下端面よりも下方に配置されている。また、前記した弱化部４０は、内リング４１や外リング４２よりも強度が小さく、内リング４１と外リング４２との軸方向の相対移動に伴い容易に破断される薄肉部である。この弱化部４０は、周方向に沿って全周に亘って形成されている。
【００２５】
次に、上記した構成からなるエアゾール容器１の作用について説明する。
【００２６】
上記したエアゾール容器１を使用する際には、まず、図２に示すように、容器２０の上端を指等で押圧して容器２０を噴射器３に対して相対的に下方へ押し下げる。これにより、容器２０とともにリング部材４が下げられ、外リング４２の下端面がリセット部５２の上端面に当接してリセット部５２が押下される。その結果、カウンター５がリセットされ、表示部５３に初期数値が表示される。また、このとき、ステム２１は、挿入孔３２の奥まで挿入され、ステム２１の下端面が挿入孔３２の底面に当接する。
【００２７】
そして、上述したようにリセット部５２が押下された後、さらに容器２０を押し下げる。これにより、ステム２１の先端が挿入孔３２の底面に当接しており、ステム２１の下方への移動が規制されているため、ステム２１は容器２０に対して相対的に押し上げられて容器２０の内側に押し込まれる。その結果、容器２０内の内容物がステム２１を通ってノズル３３から噴射口部３１に向けて噴射される。このとき、内リング４１は容器２０とともに更に下げられる一方、外リング４２はリセット部５２により下方への移動が規制されるため、内リング４１は外リング４２に対して相対的に下方に移動し、弱化部４０に応力が作用する。これにより、弱化部４０が破断し、外リング４２が内リング４１から分離される。また、外リング４２の係合凸部４６が内リング４１の係合凸部４５を乗り越えて内リング４１の係合凸部４５の上方に配置されてアンダーカット嵌合される。
また、容器２０とともに内リング４１が下げられることで、内リング４１の下端面がカウント部５１の上端面に当接してカウント部５１が押下される。その結果、カウンター５が１回目の噴射をカウントし、表示部５３にカウント数が表示される。
【００２８】
続いて、図３に示すように、容器２０の上端から指等を離して容器２０の上端への押圧を解除する。これにより、ステム２１の付勢力によって容器２０が押し上げられて容器２０が元の位置に戻り、ノズル３３からの噴射が停止される。このとき、容器２０とともに内リング４１が上昇するため、内リング４１によるカウント部５１の押下が解除される。さらに、内リング４１の係合凸部４５と外リング４２の係合凸部４６とが係合されており、内リング４１とともに外リング４２が上昇するため、外リング４２によるリセット部５２の押下が解除される。
【００２９】
次に、噴射口部３１を使用者の口の中に向けて、容器２０の上端を指等で再び押圧して容器２０を再度押し下げる。これにより、ステム２１が容器２０内に押し込まれ、容器２０内の薬剤がステム２１を通ってノズル３３から噴射口部３１内に向けて噴射される。このとき、容器２０とともに内リング４１が下降し、内リング４１の下端面がカウント部５１の上端面に当接してカウント部５１が押下される。その結果、上記した噴射がカウントされ、表示部５３にカウント後の数値が表示される。また、このとき、外リング４２は内リング４１から分離されており、しかも、内リング４１の係合凸部４５と外リング４２の係合凸部４６とが係合されているため、外リング４２によってリセット部５２が押されてカウント数がリセットされることがない。すなわち、外リング４２は、係合凸部４５，４６によって内リング４１に対する相対的な下方移動が規制されているが、相対的な上方移動が許容されているため、外リング４２の下端面がリセット部５２の上端面に当接してもリセット部５２が押し下げられることはなく、外リング４２が内リング４１に対して相対的に上方に移動する。
【００３０】
続いて、容器２０の上端から指等を離して容器２０の押圧を解除すると、ステム２１の付勢力によって容器２０が押し上げられ、容器２０は元の位置に戻る。このとき、容器２０とともに内リング４１が移動するため、内リング４１によるカウント部５２の押下が解除される。このように容器２０を押し下げる度に、ノズル２１から薬剤が噴射されるとともに、内リング４１によってカウント部５１が押されて噴射回数がカウントされ、表示部５３にカウント数が表示される。なお、表示部５３は、容器収容部３０に形成された窓部３０ｂから目視で確認することが可能である。
【００３１】
また、上記したように一旦使用したエアゾール容器１のエアゾール容器本体２が噴射器３から外れた場合、そのエアゾール容器本体２を噴射器３の容器収容部３０の上端開口部から容器収容部３０内に入れるとともに容器２０を下方へ押し込んでステム２１を挿入孔３２に挿入させ、一度外れたエアゾール容器本体２を噴射器３に再び装着させる。このとき、外リング４２が内リング４１から分離されているため、外リング４２によってリセット部５２が押されてカウント数がリセットされることがない。
【００３２】
一方、エアゾール容器１のエアゾール容器本体２を交換する際には、噴射器３に装着されたエアゾール容器本体２を噴射器３の容器収容部３０の上端開口部から引き抜いて取り外した後、新たなエアゾール容器本体２を容器収容部３０の上端開口部から容器収容部３０内に入れるとともに容器２０を下方へ押し込んでステム２１を挿入孔３２に挿入させ、新たなエアゾール容器本体２を噴射器３に装着させる。このとき、容器２０とともにリング部材４が下げられ、外リング４２の下端面がリセット部５２の上端面に当接してリセット部５２が押下されるので、カウンター５がリセットされ、表示部５３に初期数値が表示される。
なお、リング部材４は、周方向に方向性が無い平面視真円形状を成しているので、エアゾール容器本体２を噴射器３に装着させる際、周方向の位置決めが不要である。
【００３３】
上記した構成からなるエアゾール容器１によれば、使用を開始した後に、噴射器３から外れたエアゾール容器本体２を再装着させても、外リング４２によってリセット部５２が押されてカウント数がリセットされることがないため、それまでカウントした回数を継続させることができる。これにより、噴射器３を再装着した場合であっても、表示部５３には正確な噴射回数が表示されるので、正確な噴射回数を確認することができる。
【００３４】
また、使用を開始した後に、エアゾール容器本体２を噴射器３から取り外して新たなエアゾール容器本体２を噴射器３に装着した場合には、外リング４２がリセット部５２を押下するので、確実にカウント数がリセットされ、正確なカウントが可能となる。
【００３５】
また、上記した構成からなるエアゾール容器１では、弱化部４０を破断させて内リング４１と外リング４２とを分離させた後、外リング４２の係合凸部４６と内リング４１の係合凸部４５とが係合された状態になるので、外リング４２のガタツキが抑えられる。これにより、使用時の異音を防止することができる。また、係合凸部４５，４６によって外リング４２の下降が規制されるので、外リング４２によってリセット部５２が押し込まれてカウント数がリセットされることが確実に防止される。
また、エアゾール容器本体２を噴射器３に装着させる際、周方向の位置決めが不要であるので、エアゾール容器本体２の付け換えが容易である。
【００３６】
以上、本発明に係るエアゾール容器の実施の形態について説明したが、本発明は上記した実施の形態に限定されるものではなく、その趣旨を逸脱しない範囲で適宜変更可能である。
例えば、上記した実施の形態では、噴射口部３１が容器収容部３０に対して垂直に突設されているが、本発明は、噴射口部３１が容器収容部３０に対して斜めに突設された構成にすることも可能であり、或いは、噴射口部３１が設けられていない構成にすることも可能である。
【００３７】
また、上記した実施の形態では、カウンター５の表示部５３が背面側に配設されているが、本発明は、表示部５３が下面側や側面側に配設されていてもよい。
また、上記した実施の形態では、カウンター５が容器収容部３０の内側に収容されているが、本発明は、カウンター５が容器収容部３０の外側に取り付けられていてもよい。
【００３８】
また、上記した実施の形態では、デジタル式のカウンター５が噴射器３に内蔵されているが、本発明は、デジタル式以外のカウンターが備えられていてもよく、例えば、ラチェット機構を用いた機械式のカウンターが備えられていてもよい。このような機械式のカウンターの構成としては、一方向への回転が許容されているとともに他方への回転が規制部材によって規制されたピニオンが備えられ、カウント部が押下されると、ピニオンが一方向に回転して回数をカウントし、リセット部が押下されると、前記した規制部材がピニオンから外れてピニオンの他方向への回転規制が解除され、板バネなどの付勢力によりピニオンが他方向へ回転して最初の位置に戻される構成などが考えられる。
【００３９】
また、上記した実施の形態では、外リング４２が内リング４１の下方に配設され、外リング４２の下端面が内リング４１の下端面よりも下方に配置されており、また、カウント部５１の上端面とリセット部５２の上端面とが略同じ高さ位置になっているが、本発明は、このような構成に限定されるものではなく、使用前の状態において、内リング４１の下端面（当接面）とカウント部５１の上端面（当接面）との間隔が、外リング４２の下端面（当接面）とリセット部５２の上端面（下端面）との間隔よりも広くなっていればよい。例えば、リセット部５２をカウント部５１よりも上方に突出させることで、外リング４２の下端面と内リング４１の下端面とを同位置に配置させることも可能であり、或いは、外リング４２の下端面を内リング４１の下端面よりも上方に配置させることも可能である。
【００４０】
また、上記した実施の形態では、容器２０を押し下げて外リング４２によってリセット部５２を押下した後に、さらに容器２０を押し下げることにより、内リング４１によってカウント部５１を押下するとともに弱化部４０を破断させる構成となっているが、本発明は、このような構成に限定されない。例えば、リセット部５２の押下ストロークをカウント部５１の押下ストロークよりも短くすることにより、容器２０を押し下げて外リング４２によってリセット部５２を押下した後に、さらに容器２０を押し下げて弱化部４０を破断させる際に、内リング４１がカウント部５１を押下しない構成にすることができる。さらに、本発明は、リセット部５２の上方付勢力を強力にすることにより、容器２０を押し下げて外リング４２によってリセット部５２を押下しながら弱化部４０を破断させる構成にすることも可能である。
【００４１】
また、上記した実施の形態では、内リング４１の下端と外リング４２の上端との間に薄肉状の弱化部４０を全周に亘って形成しているが、本発明における弱化部は、内リング４１や外リング４２よりも強度が小さくなっていればよく、内リング４１と外リング４２との間に架設された連結片（ブリッジ）を周方向に間隔をあけて複数設けた構成からなる弱化部であってもよく、その他の構成の弱化部であってもよい。なお、上記した連結片は、周方向に等間隔で形成することが好ましい。
【００４２】
また、上記した実施の形態では、内リング４１の外周面に係合凸部４５が形成されているとともに、外リング４２の内周面に、上記した係合凸部４５に係合する係合凸部４６が形成されているが、本発明は、内リング４１や外リング４２に形成する係合部が凸部になっていなくてもよく、内リング４１の外周面及び外リング４２の内周面の何れか一方に凹部を形成して他方に凸部を形成し、凹部の内側に凸部が嵌合される構成であってもよい。
さらに、本発明は、内リング４１の外周面や外リング４２の内周面に係合部が形成されていない構成にすることも可能であり、内リング４１から外リング４２が分離されていれば、容器２０を押し下げたときに外リング４２がリセット部５２を押下しない。
【００４３】
また、上記した実施の形態では、エアゾール容器本体２のステム２１を下向きにした姿勢でエアゾール容器１が配置され、容器２０を押し下げることで薬剤を噴射させる構成になっているが、本発明は、上記した姿勢で使用されるエアゾール容器に限定されるものではない。例えば、エアゾール容器本体２のステム２１を上向きにした姿勢でエアゾール容器１を用いることも可能である。
【００４４】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４５】
【図１】本発明に係る実施の形態を説明するためのエアゾール容器の使用開始前の状態を表した断面図である。
【図２】本発明に係る実施の形態を説明するためのエアゾール容器のリセット中の状態を表した断面図である。
【図３】本発明に係る実施の形態を説明するためのエアゾール容器のリセット後の状態を表した断面図である。
【符号の説明】
【００４６】
１  エアゾール容器
２  エアゾール容器本体
３  噴射器
４  リング部材
５  カウンター
２０  容器
２１  ステム
３０  容器収容部
３２  挿入孔
３３  ノズル
４０  弱化部
４１  内リング
４２  外リング
４５  係合凸部（係合部）
４６  係合凸部（係合部）
５１  カウント部
５２  リセット部
５３  表示部
【図１】
2010011884.tif 000003
【図２】
2010011884.tif 000004
【図３】
2010011884.tif 000005